(57)【要約】  木管楽器用サポートシステム（１）は、ストラップ（３０）とサムレスト（１０）とを備える。ストラップ（３０）は、奏者（４）の首に掛けるネックパッド（３４）と、ネックパッド（３４）の両端に連結された吊り紐（３１ａ）の長さをそれぞれの端部で調整、保持可能なミニスライダ（３３）と、ネックパッド（３４）の両端から延びる２本の吊り紐を一束の紐群（３１ｂ）に束ねるとともに、一束の紐群（３１ｂ）の長さを調整、保持可能なメインスライダ（３２）と、一束の紐群（３１ｂ）の下端に連結され、他端に楽器側に係止可能なフック（３６）が取り付けられたガイドテープ（３５）とを含む。サムレスト（１０）は、楽器（２）の管体に取り付けられる台座プレートと、台座プレートに支持された指掛けプレートと、指掛けプレートの台座プレートへの支持端と反対端に、ストラップ（３０）のフック（３６）を係止可能な孔が形成されたフック係止部とを含む。
2015104864.tif 000002
【特許請求の範囲】
【請求項１】
楽器の管体に取り付けられる台座プレートと、該台座プレートに支持され、前記楽器と反対端にピン軸受が配置された指掛けプレートと、前記ピン軸受に支持されるように回動ピン周りに回動可能に、前記指掛けプレートに取り付けられ、ストラップのフックを係止可能な孔が形成されたフック係止手段とを含むサムレストを備えたことを特徴とする木管楽器用サポートシステム。
【請求項２】
楽器の管体に取り付けられる台座プレートと、該台座プレートに支持された指掛けプレートと、該指掛けプレートの台座プレートへの支持端と反対端に、ストラップのフックを係止可能な孔が形成されたフック係止部とを含むサムレストを備えたことを特徴とする木管楽器用サポートシステム。
【請求項３】
前記指掛けプレートは、上下方向にスライド可能なスライダを介して前記台座プレートに支持された請求項１または２に記載の木管楽器用サポートシステム。
【請求項４】
前記スライダは、前記楽器側に屈曲した上端部位を有し、該上端部位が緩衝部材を介して前記楽器に接触する請求項３に記載の木管楽器用サポートシステム。
【請求項５】
奏者の首に掛けるネックパッドと、
前記ネックパッドの両端に連結された吊り紐の長さをそれぞれの端部で調整、保持可能な第１のスライド手段と、
前記ネックパッドの両端から延びる２本の吊り紐を一束の紐群に束ねるとともに、前記一束の紐群の長さを調整、保持可能な第２のスライド手段と、
前記一束の紐群の下端に連結され、他端に楽器側のサムレストに係止可能なフックが取り付けられた帯状体とを含むストラップを備えたことを特徴とする木管楽器用サポートシステム。
【請求項６】
前記ネックパッドは、中央の非伸縮部と、該非伸縮部を挟む両側の伸縮部とからなることを特徴とする請求項５に記載の木管楽器用サポートシステム。
【請求項７】
前記吊り紐の長さは、前記第１のスライド手段と、前記第２のスライド手段の独立した長さ調整により決定され、それぞれのスライド手段で調整された長さが保持される請求項５に記載の木管楽器用サポートシステム。
【請求項８】
奏者の首に掛けるネックパッドと、前記ネックパッドの両端に連結された吊り紐の長さをそれぞれの端部で調整、保持可能な第１のスライド手段と、前記ネックパッドの両端から延びる２本の吊り紐を一束の紐群に束ねるとともに、前記一束の紐群の長さを調整、保持可能な第２のスライド手段と、前記一束の紐群の下端に連結され、他端に楽器側に係止可能なフックが取り付けられた帯状体とを含むストラップと、
楽器の管体に取り付けられる台座プレートと、該台座プレートに支持された指掛けプレートと、該指掛けプレートの台座プレートへの支持端と反対端に、前記ストラップのフックを係止可能な孔が形成されたフック係止手段とを含むサムレストとを備えたことを特徴とする木管楽器用サポートシステム。
【発明の詳細な説明】
【技術分野】
【０００１】
本発明は木管楽器用サポートシステムに係り、特にクラリネット、オーボエ等のように右手親指で楽器を支持するようにして演奏する木管楽器に適用する、装着性、吹奏感の優れたストラップと、ストラップを支持するサムレストから構成された木管楽器用サポートシステムに関する。
【背景技術】
【０００２】
木管楽器のうちクラリネットやオーボエなどは、従来、ストラップを用いずに右手親指をサムレストに掛けて楽器を支持しながら演奏する。近年、クラリネットの材料であるグラナディラが少なくなり、重量のある木材チップを圧縮して成形した楽器も出てきている。また、キーを追加するなど、楽器の重量が重くなっている。そのため、右手親指にかかる負荷が増加している。特に子供や高齢者、入門者などにとってサムレストのみで楽器を支持して演奏することは大きな負担になる。また、このような状況で練習を続けた場合、楽器の上達にも支障が生じる。そこで、この負担を軽減するために、首から掛けたストラップで楽器を補助的に支持するためのフックやアクセサリーが使用されている（非特許文献１、２）。【０００３】
非特許文献１に開示されたクラリネットでは、可動式指掛けのスライダの上部に取付孔が設けられ、この取付孔にストラップリングが支持されている。このストラップリングに楽器支持用のストラップのフックを係止して楽器を支持することで、サムレストに宛がわれた親指での楽器の支持の負担を軽減することができる。【０００４】
このサムレストでは、スライダの上部にストラップリングが設けられているため、ストラップで支持するようにした際、楽器本体に近い位置がストラップの支持点となる。このため、ストラップと左手親指の付け根との距離が接近するため、親指でレジスタキーを操作する際にストラップが干渉し、演奏の妨げになる。また、楽器を高く上げると左手親指に接触してしまうおそれもあり、ストラップで規制されてベルを高く上げて演奏できないと言う問題がある。【０００５】
非特許文献２に開示されたストラップは、楽器のサムレストに短いベルト状のコネクタをボタン掛けするように取り付けて、コネクタの上端の孔にストラップのメタルフックを掛けるようにして使用する。【０００６】
一方、特許文献１に開示されたストラップは、ストラップの下端にサムレストとの係止部を有する板状部材を有する構造からなる。この板状部材の切欠部に露出した糸をサムレストに係止させ、首に掛けたストラップで楽器のサムレストを吊り上げるようになっている。【０００７】
上述のストラップは、楽器側に係止部（コネクタ）を付けるか、ストラップ側に係止部を設けるかの違いはあるが、いずれの場合も楽器の重さをサムレストと首から掛けたストラップとで負担するため、右手親指にかかる負担を軽減できる。
【先行技術文献】
【特許文献】
【０００８】
【特許文献１】登録実用新案第３１７３５７０号公報
【非特許文献】
【０００９】
【非特許文献１】ヤマハ株式会社著作、"ヤマハクラリネットＹＣＬ−２５５  特長  可動式指掛け、ストラップリング"、[online]、ヤマハ株式会社、［平成２５年１２月１２日検索］、インターネット＜ＵＲＬ：http://jp.yamaha.com/products/musical-instruments/winds/clarinets/bb-clarinets/standard/ycl-255/?mode=model#tab=product_lineup
【非特許文献２】amazon.co.jp著作、"BG NYLON ELASTIC(ナイロン エラスティック) ストラップ Bb/Sib クラリネット C20E BG"、[online]、［平成２５年１２月１２日検索］、インターネット＜ＵＲＬ：http://www.amazon.co.jp/BG-NYLON-ELASTIC-%E3%82%A8%E3%83%A9%E3%82%B9%E3%83%86%E3%82%A3%E3%83%83%E3%82%AF-%E3%82%AF%E3%83%A9%E3%83%AA%E3%83%8D%E3%83%83%E3%83%88/dp/B000RVSIXS/ref=sr_1_3?ie=UTF8&qid=1387189389&sr=8-3&keywords=BG+%E3%82%AF%E3%83%A9%E3%83%AA%E3%83%8D%E3%83%83%E3%83%88+%E3%82%B9%E3%83%88%E3%83%A9%E3%83%83%E3%83%97＞
【発明の概要】
【発明が解決しようとする課題】
【００１０】
これらのストラップは、別体のベルト状のコネクタをサムレストに取り付けたり、ストラップに設けられた係止部材を用いて楽器を支持するため、従来の各種形状のサムレストでも使用できる利点はあるが、やはりストラップの支持点がサムレストの根元部（楽器側）となるため、ストラップと左手親指との距離が大きくとれず、演奏時の問題が残る。【００１１】
また、直管状の木管楽器としては、ソプラノサックスのようにサムフックとリングフックが管体に取り付けられ、リングフックを利用して主としてストラップで楽器を支持し、演奏時に右手親指をサムフックに掛け、左手親指でサムレストを押しながら各キーを操作して演奏するタイプもある。ソプラノサックスの場合、リングフックがサムフックの上部に取り付けられているため、サムレストを押す左手親指の付け根とストラップとが干渉して演奏中にベルを高く上げることができないという問題があった。【００１２】
また、上述のストラップでは、木管楽器を吊るように支持する場合、ストラップの長さの微調整が行えない。このためクラリネットなどの演奏時、上級の演奏者が演奏時の保持位置を正確に設定したい場合に対応できない。【００１３】
さらに、ストラップを保管する際に、ネックパッドとメタルフックとをつなぐ紐が絡まってしまうことが多く、使用する都度、その絡まりを直さなければならないという煩雑さもある。また、ネックパッドを首に掛けた際、吊り紐によってネックパッドの両端が狭まって首元を圧迫する。【００１４】
そこで、本発明の目的は上述した従来の技術が有する問題点を解消し、サムレストで木管楽器を支持する負担を、ストラップを用いて軽減するとともに、演奏時に好ましい吹奏感が得られるようにした木管楽器用サポートシステムを提供することにある。
【課題を解決するための手段】
【００１５】
上記目的を達成するために、本発明の木管楽器用サポートシステムは、楽器の管体に取り付けられる台座プレートと、該台座プレートに支持され、前記楽器と反対端にピン軸受が配置された指掛けプレートと、前記ピン軸受に支持されるように回動ピン周りに回動可能に、前記指掛けプレートに取り付けられ、ストラップのフックを係止可能な孔が形成されたフック係止手段とを含むサムレストを備えたことを特徴とする。【００１６】
また、本発明の木管楽器用サポートシステムは、楽器の管体に取り付けられる台座プレートと、該台座プレートに支持された指掛けプレートと、該指掛けプレートの台座プレートへの支持端と反対端に、ストラップのフックを係止可能な孔が形成されたフック係止部とを含むサムレストを備えたことを特徴とする。【００１７】
前記指掛けプレートは、上下方向にスライド可能なスライダを介して前記台座プレートに支持されることが好ましい。【００１８】
前記スライダは、前記楽器側に屈曲した上端部位を有し、該上端部位が緩衝部材を介して前記楽器に接触させるのが好ましい。【００１９】
また、本発明の木管楽器用サポートシステムは、奏者の首に掛けるネックパッドと、前記ネックパッドの両端に連結された吊り紐の長さをそれぞれの端部で調整、保持可能な第１のスライド手段と、前記ネックパッドの両端から延びる２本の吊り紐を一束の紐群に束ねるとともに、前記一束の紐群の長さを調整、保持可能な第２のスライド手段と、前記一束の紐群の下端に連結され、他端に楽器側のサムレストに係止可能なフックが取り付けられた帯状体とを含むストラップを備えたことを特徴とする。【００２０】
このとき、前記ネックパッドは、中央の非伸縮部と、該非伸縮部を挟む両側の伸縮部とからなることが好ましい。【００２１】
前記吊り紐の長さは、前記第１のスライド手段と、前記第２のスライド手段の独立した長さ調整により決定され、それぞれのスライド手段で調整された長さが保持されるようにすることが好ましい。【００２２】
また、本発明の木管楽器用サポートシステムは、奏者の首に掛けるネックパッドと、前記ネックパッドの両端に連結された吊り紐の長さをそれぞれの端部で調整、保持可能な第１のスライド手段と、前記ネックパッドの両端から延びる２本の吊り紐を一束の紐群に束ねるとともに、前記一束の紐群の長さを調整、保持可能な第２のスライド手段と、前記一束の紐群の下端に連結され、他端に楽器側に係止可能なフックが取り付けられた帯状体とを含むストラップと、楽器の管体に取り付けられる台座プレートと、該台座プレートに支持された指掛けプレートと、該指掛けプレートの台座プレートへの支持端と反対端に、前記ストラップのフックを係止可能な孔が形成されたフック係止部とを含むサムレストを備えたことを特徴とする。
【発明の効果】
【００２３】
本発明の木管楽器用サポートシステムによれば、ストラップを使用することで、楽器を保持する右手親指に係る負担を軽減することができる。またストラップの仮想の支持点がサムレストの位置より下になるので、ストラップと左手親指の間隔が広がり、３点支持状態が得られる。さらにストラップ装着時の吹奏感、演奏時の安定性が向上するという効果を奏する。
【図面の簡単な説明】
【００２４】
【図１】本発明の木管楽器用サポートシステムの全体構成と、サムレストにストラップのフックを係止した状態を示した拡大斜視図。
【図２】本発明の木管楽器用サポートシステムのサムレストの構成と動作を説明した（ａ）側面図、及び（ｂ）正面図。
【図３】図１に示したサポートシステムを用いた演奏状態を示した状態説明図。
【図４】図１に示したサポートシステムに作用する力と楽器を支持する親指に作用する力の状態を模式的に示した説明図。
【図５】（ａ）及び（ｂ）は木管楽器用サポートシステムのサムレストの他の実施態様を示した正面図。
【図６】（ａ）及び（ｃ）は木管楽器用サポートシステムのサムレストの他の実施態様を示した正面図、また（ｂ）側面図。
【図７】木管楽器用サポートシステムのサムレストの他の実施態様を示した斜視図。
【図８】木管楽器用サポートシステムのストラップの一実施態様を示した斜視図。
【図９】図８に示したストラップのネックパッドの構成を示した正面図。
【発明を実施するための形態】
【００２５】
以下、本発明の木管楽器用サポートシステムの一実施形態について添付図面を参照して説明する。以下、本実施形態では、木管楽器の一例として、たとえばＢ♭クラリネットに用いられる場合を例にあげて説明するが、ストラップのフックを係止可能な部位を有するサムレストで支持する、オーボエ等の他の種類の木管楽器に適用できることはいうまでもない。
【００２６】
図１は、本発明の一実施形態の木管楽器用サポートシステム（以下、単にサポートシステムと記す。）の全体構成を示した拡大斜視図である。本実施形態のサポートシステム１のうちのサムレスト１０は、指掛けプレート１３の高さが上下方向に所定量だけ調整できるタイプからなる。本実施形態のサムレスト１０は黄銅等の鍛造加工品からなり、クラリネット２本体にねじ止めされた台座プレート１１に対して上下方向に所定量だけスライド可能なスライダ１２と、スライダ１２の下端に一体化して支持端が連続する指掛けプレート１３と、指掛けプレート１３の支持端と反対側のプレート上面に、ピン軸を介して回動可能に取り付けられたフック係止プレート１５を備えている。なお、添付図面では図の簡単化のために、発明の特徴に関係のない、楽器に付属する各種のキー、レバーの図示を一部省略している。
【００２７】
台座プレート１１は、従来形状のサムレスト１０をクラリネット２（以下、楽器２と記す。）本体に固定するのと同様の構成からなり、楽器２の外径に合致した湾曲形状をなし、木製の本体の所定位置にねじ止めされる。この台座プレート１１の中央部には固定ねじ１６のねじ穴（図示せず）が形成されており、指掛けプレート１３の位置を調整した状態でスライダ１２が固定ねじ１６で台座プレート１１に固定される。
【００２８】
スライダ１２は、図１、図２各図に示したように、スライド可能な分の長さの長孔１２ａが中央に形成された細長形状部材で、スライダ１２の上端は楽器側にわずかに折り曲げられている。この上端部位１２ｂはスライダ１２が１本の固定ねじ１６で台座プレート１１に固定される際の振れ止めとして機能する。また上端部位１２ｂと楽器との接触面には合成コルク１４（たとえば製品名：ハイコテックス）が貼着されている。この上端部位１２ｂは後述するようにストラップ３０（図３）を使用した際に、この部分が楽器を押圧することで指掛けプレート１３、スライダ１２、固定ねじ１６とに作用する力を一部負担し、固定ネジ１６への負担を軽減することができる。そのとき上端部位１２ｂが楽器を傷付けないようにクッション材としての合成コルク１４が用いられている。
【００２９】
スライダ１２の下端には指掛けプレート１３の支持端が一体的に固着されている。指掛けプレート１３は、従来のサムレスト１０と同様に右手親指で支持するための指掛け部１３ａと、指掛け部の上面の端部に形成されたフック係止プレート支持部１３ｂとを備える。指掛け部１３ａは略円形板状をなし、親指の接触する面がわずかに湾曲し、薄いシート状のクッション材１７が貼られ、親指にフィットするようになっている。フック係止プレート支持部１３ｂは、図示したように、フック係止プレート１５の下端を貫通して挿入された回動ピンの両端のピン軸受１８を有する。ピン軸受１８は、指掛けプレート１３の上面に形成され親指が触れやすいため、面取りされ全体に丸みを帯びた形状に仕上げられている。
【００３０】
フック係止プレート１５は、図１、図２各図に示したように、回動ピン２０が貫通する底部から上部にかけて緩い傾斜部が続き、上端が円弧形をなす板部材である。プレート上部にはフック係止孔１５ｃ（丸孔）が形成されている。図１に示したように、このフック係止孔１５ｃにストラップ３０のフック３６を係止することで、演奏者はサムレスト１０で楽器２を支持する際、ストラップ３０で楽器２を吊ることによってサムレスト１０による支持の軽減することができる。このフック係止プレート１５は図２（ａ）に示したように、回動ピン２０周りにスムースに回動することができる。たとえばストラップ３０のフック３６をフック係止孔１５ｃに取り付けて首からストラップ３０を掛けた状態では、楽器２は図２（ａ）に示した矢印Ａ方向に吊られる。フック係止プレート１５はその吊り角度に沿う。また楽器２を楽器ケースに収納する時には、フック係止プレート１５を折り畳むように指掛けプレート１３上に倒すこともできる。
【００３１】
ここで、本発明のサポートシステム１を用いて楽器２を演奏した場合に得られる有利な効果について図３、図４を参照して説明する。
図３に示したように、奏者４は首に掛けたストラップ３０のフック３６を、楽器２に取り付けられた本発明のサポートシステム１のサムレスト１０のフック係止プレートに掛けて演奏することができる。このとき、サムレスト１０を介して支持する楽器２の重みは右手親指７だけでなく、本発明のサポートシステム１のストラップ３０でも支持され、右手親指７への負担が軽減される。ストラップ３０のフック３６の係止位置がサムレスト１０の外側（奏者４側）端となっているため、図示したように、左手親指８の付け根とストラップ３０との間の距離を十分離すことができ、左手親指８のスムースなキー操作を行うことができる。
【００３２】
さらに、上述した従来の同様の構成のサムレストやストラップに対する本発明のサポートシステム１０の有効な作用について、図４を参照して説明する。図４は、右手親指７でサムレスト１０を支持した状態でストラップ３０のフック３６をフック係止プレート１５に掛けてストラップ３０による支持を併用した状態を示している。同図には比較のために、従来のストラップを併用する例（ストラップリング５０をスライダ１２に取り付けるタイプ、ベルト状コネクタ５１を指掛けプレートに掛けるタイプ）を仮想線で併せて図示している。同図に示したように、本発明のサポートシステムを使用した場合、フック係止プレート１５が右手親指７の外側（奏者側）に位置するため、ストラップ３０で楽器２を吊った際に、その仮想の楽器支持点Ｓ１はサムレスト１０の下方に位置することになり、ストラップ３０による吊り力は（矢印Ａ）サムレスト１０の指掛けプレート１３を支持する親指７の支持中心点（×印）の外側（奏者側）から楽器の方向に向かう回転モーメントＭとして作用し、親指７にかかる楽器の重さが軽減される。また、このとき楽器２は奏者４がくわえたマウスピースの吹き口と、サムレスト１０の親指支持位置と、ストラップ３０で吊った状態でのサムレスト１０下方の仮想の楽器支持点Ｓ１とによる３点支持状態となるため、演奏時の楽器の安定がより高まる。
【００３３】
これに対して、従来のストラップ５５（図４）で楽器２を吊る例（ストラップリング５０をスライダ１２に取り付けるタイプ、ベルト状コネクタ５１を指掛けプレートに掛けるタイプ）では、いずれの場合もサムレスト１０の親指支持位置と、ストラップ５５で吊った状態の仮想の楽器支持点Ｓ２とがほとんど同じ位置となる。このため、楽器上端とサムレスト１０の親指位置の２点支持で楽器を支える状態となり、サムレスト１０とストラップ５５とで楽器２を支持しても、演奏する際の安定性に寄与しない。
【００３４】
図５各図は、他の実施形態としてフック係止プレートをシンプルな形状にしたサポートシステム１０を示している。図５（ａ）に示したサポートシステム１０は、回動ピン２０の支持パイプ２５に直接フックリング２６を取り付けた構造からなる。回動ピン２０の取付位置は図２（ａ）の場合と同じく指掛けプレート１３の外端部（奏者側）である。フック係止手段としてのプレートをリングとしたため、サムレスト１０を軽量、シンプルに仕上げることができる。図５（ｂ）に示したサムレスト１０は、三角カン２７の一辺２７ａを回動ピン２０として使用した構造からなる。この場合には、三角カン２７の一辺２７ａを支持する短いピン支持パイプ２８を指掛けプレート１３に取り付ければよく、ピン軸受１８（図２（ｂ））に相当する部材を設ける必要がなくなる。
【００３５】
図６（ａ）、（ｂ）は、他の実施形態としてスライダ１２（図５他）をなくして指掛けプレート１３を台座プレート１１に直接取り付けたサムレスト１０を示している。このサムレストは、その位置の上下方向の調整が不要な場合にもっともシンプルな形状とした例である。図６（ａ）に示したサムレスト１０は、指掛けプレート１３に直接フックリング２６を取り付けた構造からなる。フックリング２６の取付位置は図５（ａ）の場合と同じく指掛けプレート１３の外端部（奏者側）である。図６（ｂ）は、フックリング２６の取り付け向きを変えて取り付けた例で、同様にフックリング２６は指掛けプレート１３の外端部（奏者側）に取り付けられている。
【００３６】
図６（ｃ）は、スライダ１２を用いた実施形態に対して、図６（ａ）に示したようなフックリング２６を指掛けプレート１３に固定して取り付けるタイプを用いた例を示している。この実施形態では、シンプルな構造で、フック位置を上下方向にスライド可能な機構とすることができる。なお、図６各図に示したフックリング２６は、フック係止プレートのような形状とすることもできることは言うまでもない。
【００３７】
図７は、指掛けプレート１３とフックリング２６とを一体的に形成したサムレストの実施形態を示している。このフックリング２６は逆Ｕ字形をなし、各端部が指掛けプレート１３の端部と一体化しリング孔２６ａを形成している。このため、フック３６が矢印Ｂ方向にずれた場合にも、フック３６がフックリング２６から外れにくくなっている。サムレストの素材としては、真鍮材の削り出し部品、各種低融点金属のダイキャスト部材とすることができる。またサムレストに各種のメッキを施すことで、好みの音色に変化させることもできる。
【００３８】
サムレストは上述したように各種の形状が可能であり、その材質は強度、耐久性を考慮してパーツによって変更してもよい。金属、樹脂部品を適宜組み合わせてた製品としてもよい。
【００３９】
直管の木管楽器であるソプラノサックスやソプラニーノのサムフックに代えてこのサムレストを使用し、従来のフックリングにストラップを係止するのと合わせて、このサムレストとストラップとを連絡する紐状のパーツを付加することで、ストラップの吊り点を増やして演奏時の安定を向上させることもできる。
【００４０】
図８は、本発明のサポートシステム１のストラップ３０の全体構成を示した斜視図である。このストラップ３０は、奏者（図示せず）の首にストラップ３０全体を保持させるネックパッド３４と、吊り紐３１の端部の折り返し長さを微調整可能な第１の調整手段としてのミニスライダ３３と、吊り紐３１の長さ調整するとともに、吊り紐間の間隔を広げる、第２の調整手段としてのメインスライダ３２と、第２吊り部３１ｂの吊り長さＬ２を調整可能な部位にリングパーツ３５ａを介して連結されたガイドテープ３５と、フックリング２６にストラップ３０を係止させる先端フック３６とから構成されている。
【００４１】
本実施形態のネックパッド３４は、図９に示したように、両端の紐取付孔３４ａに結ばれた紐３４で矢印方向に引っ張られた際に伸長可能なクロロプレンゴム製シートのカット材からなる。このとき伸縮性のない当て布３４Ｂを中央の所定範囲に縫着して、３４Ａ部分のみが伸縮するようにしている。当て布３４Ｂの範囲を変えることにより、ネックパッド３４の伸長量を変化させ、伸長量が大きいソフトタイプ、伸長量が中間的なミディアムタイプ、伸長量が小さいハードタイプ等、複数種のネックパッド３４を選択することができる。当て布３４Ｂは速乾性、抗菌性を有する生地を用いることが好ましい。ネックパッド３４に伸縮性を持たせることにより、演奏中のアンブシュア（楽器の吹き口を保持する口唇の状態）の安定感が増す。
【００４２】
次にメインスライダ３２とミニスライダ３３の構成と役割について図８を参照して説明する。メインスライダ３２は図示したような幅広のＴ字形のウイング状をなしたプレートで、本実施形態ではアルミニウム板が使用されている。メインスライダには複数個の孔が対称に形成されており、所定長さの吊り紐３１を中央部から振り分けるようにして各孔に挿通することにより、ネックパッド３４の各端部に連結され、奏者の胸前に位置する第１吊り部３１ａと、メインスライダ３２の中央部の下側に一束に束ねられた紐群からなる第２吊り部３１ｂとを構成する。第１吊り部３１ａでは２本の吊り紐がメインスライダ３２により所定の離れ（本実施形態では１２．５ｃｍ）だけ離れる。これにより、ネックパッド３４の下端が狭まらないため、楽器を吊した状態（図３）で奏者の首元を圧迫することがないため、吹奏時の気道が十分に確保でき、楽器に息を吹き込む動作がきわめて楽になる。たとえばクラリネットの場合、ストラップを用いない場合の吹奏感が得られる。
【００４３】
吊り紐３１とメインスライダ３２、ミニスライダ３３による長さ調整について説明する。まずストラップ３０を首から掛けた状態で、奏者の身長等を考慮し第２吊り部３１ｂの長さＬ２を調整して決定する。通常の奏者の場合、Ｌ２＝４ｃｍ程度に設定することが好ましい。第２吊り部３１ｂの長さはメインスライダ３２を上下させることで決定することができる。なお、Ｌ２はメインスライダ３２を上下させることでいつでも調整可能である。次いで、第１吊り部３１ａの長さＬ３を決定する。第１吊り部３１ａの長さＬ３は一番伸ばした状態の吊り紐３１の両端を引っ張るようにしてメインスライダ３２の位置を決める。このときメインスライダ３２が左手親指と干渉しない位置にくるように長さＬ３を決定することが好ましい。第１吊り部３１ａの長さＬ３を決定したら、ミニスライダ３３から延びる吊り紐３１の余長部分はカットして抜け防止（玉結び、エイトノット等）と端止め加工をしておくことが好ましい。以上の手順で吊り紐の長さを決定した後、実際に楽器を吊して演奏時のベストポジションとなるように、ミニスライダ３２を上下に動かして長さの微調整を行う。
【００４４】
第２吊り部３１ｂの下端にはリングパーツ３５ａを介して帯状体としてのガイドテープ３５が連結されている。従来のストラップでは、右手親指と吊り紐が干渉しないようにするために、第２吊り部３１ｂに相当する部位を長くしたので、吊り紐が絡まりやすかったが、この部分を帯状のガイドテープ３５とすることにより、絡まりが生じないという利点がある。本実施形態では、ガイドテープ３５には柔軟な長さＬ１（本実施形態では約１０ｃｍ）の細帯状の布テープが用いられている。布テープの素材としては織布、編布を用いることができる。その他合成ゴム系、エラストマー系テープでもよい。編布、合成ゴム系等テープの場合には所定量Δの伸縮をもたせることができる。
【００４５】
フック３６には金属線材を所定の形状に曲げ加工したメタルフックが用いられている。フック３６の形状として直線部３６ａを設けることでストラップ３０の吊り方向を安定させることができ、メインスライダ３２が左手親指と干渉するのを効果的に回避することができる。
【００４６】
以上の構成からなるストラップ３０を用い、サムレスト１０を介して楽器を保持することにより、奏者は安定した効率的な吹奏を行うことができる。
【００４７】
本出願は、２０１４年１月９日に出願された日本国特願２０１４−００２０９２号に基づく。本明細書中に日本国特願２０１４−００２０９２号の明細書、特許請求の範囲、図面全体を参照として取り込むものとする。
【００４８】
なお、本発明は上述した実施形態に限定されるものではなく、各請求項に示した範囲内での種々の変更が可能である。すなわち、請求項に示した範囲内で適宜変更した技術的手段を組み合わせて得られる実施形態も、本発明の技術的範囲に含まれる。
【符号の説明】
【００４９】
１  木管楽器用サポートシステム
２  クラリネット（楽器）
４  奏者
１０  サムレスト
１１  台座プレート
１２  スライダ
１３  指掛けプレート
１５  フック係止プレート
１８  ピン軸受
２０  回動ピン
２６  フックリング
３０  ストラップ
３１  吊り紐
３２  メインスライダ
３３  ミニスライダ
３４  ネックパッド
３５  ガイドテープ
３６  フック
【図１】
2015104864.tif 000003
【図２】
2015104864.tif 000004
【図３】
2015104864.tif 000005
【図４】
2015104864.tif 000006
【図５】
2015104864.tif 000007
【図６】
2015104864.tif 000008
【図７】
2015104864.tif 000009
【図８】
2015104864.tif 000010
【図９】
2015104864.tif 000011
【手続補正書】
【提出日】平成28年12月28日(2016.12.28)
【手続補正１】
【補正対象書類名】特許請求の範囲
【補正対象項目名】全文
【補正方法】変更
【補正の内容】
【特許請求の範囲】
【請求項１】
楽器の管体に取り付けられる台座プレートと、該台座プレートに支持され、前記楽器と反対端にピン軸受が配置された指掛けプレートと、前記ピン軸受に支持されるように回動ピン周りに回動可能に、前記指掛けプレートに取り付けられ、ストラップのフックを係止可能な孔が形成されたフック係止手段とを含むサムレストを備えたことを特徴とする木管楽器用サポートシステム。
【請求項２】
楽器の管体に取り付けられる台座プレートと、該台座プレートに支持された指掛けプレートと、該指掛けプレートの台座プレートへの支持端と反対端に、ストラップのフックを係止可能な孔が形成されたフック係止部とを含むサムレストを備えたことを特徴とする木管楽器用サポートシステム。
【請求項３】
前記指掛けプレートは、上下方向にスライド可能なスライダを介して前記台座プレートに支持された請求項１または２に記載の木管楽器用サポートシステム。
【請求項４】
前記スライダは、前記楽器側に屈曲した上端部位を有し、該上端部位が緩衝部材を介して前記楽器に接触する請求項３に記載の木管楽器用サポートシステム。
【請求項５】
奏者の首に掛けるネックパッドと、
前記ネックパッドの両端に連結された吊り紐の長さをそれぞれの端部で調整、保持可能な第１のスライド手段と、
前記ネックパッドの両端から延びる２本の吊り紐を一束の紐群に束ねるとともに、前記一束の紐群の長さを調整、保持可能な第２のスライド手段と、
前記一束の紐群の下端に連結され、他端に楽器側に係止可能なフックが取り付けられた帯状体とを含むストラップと、
楽器の管体に取り付けられる台座プレートと、該台座プレートに支持され、前記楽器と反対端にピン軸受が配置された指掛けプレートと、前記ピン軸受に支持されるように回動ピン周りに回動可能に、前記指掛けプレートに取り付けられ、ストラップのフックを係止可能な孔が形成されたフック係止手段とを含むサムレストを備えたことを特徴とする木管楽器用サポートシステム。
【請求項６】
奏者の首に掛けるネックパッドと、
前記ネックパッドの両端に連結された吊り紐の長さをそれぞれの端部で調整、保持可能な第１のスライド手段と、
前記ネックパッドの両端から延びる２本の吊り紐を一束の紐群に束ねるとともに、前記一束の紐群の長さを調整、保持可能な第２のスライド手段と、
前記一束の紐群の下端に連結され、他端に楽器側に係止可能なフックが取り付けられた帯状体とを含むストラップと、
楽器の管体に取り付けられる台座プレートと、該台座プレートに支持された指掛けプレートと、該指掛けプレートの台座プレートへの支持端と反対端に、前記ストラップのフックを係止可能な孔が形成されたフック係止手段とを含むサムレストとを備えたことを特徴とする木管楽器用サポートシステム。
【請求項７】
前記ネックパッドは、中央の非伸縮部と、該非伸縮部を挟む両側の伸縮部とからなることを特徴とする請求項５又は６に記載の木管楽器用サポートシステム。
【請求項８】
前記吊り紐の長さは、前記第１のスライド手段と、前記第２のスライド手段の独立した長さ調整により決定され、それぞれのスライド手段で調整された長さが保持される請求項５〜７の何れか一項に記載の木管楽器用サポートシステム。
【国際調査報告】
2015104864.tif 000012
2015104864.tif 000013
2015104864.tif 000014
2015104864.tif 000015